【手続補正書】
【提出日】平成25年10月22日(2013.10.22)
【手続補正１】
【補正対象書類名】特許請求の範囲
【補正対象項目名】全文
【補正方法】変更
【補正の内容】
【特許請求の範囲】
【請求項１】
電子装置へ電源を供給する電源装置であって、
第１の定格の電源及び該第１の定格の電源よりも電力が少ない第２の定格の電源を入力可能な電源入力手段と、
前記電源入力手段に入力された電源が前記第１の定格の電源か否かを判別する判別手段と、
前記電源入力手段に前記第１の定格の電源が入力されたときに前記電子装置における温度を上昇させることが可能な発熱手段と、
前記電子装置における温度を検出する検出手段と、
前記検出手段により検出された温度に応じて前記発熱手段を制御する制御手段と、
を備え、
前記制御手段は、
前記判別手段により前記電源入力手段に入力された電源が前記第１の定格の電源であると判別されたときに、前記検出手段により検出された温度に応じた前記発熱手段の制御を行い、
前記判別手段により前記電源入力手段に入力された電源が前記第１の定格の電源ではないと判別されたときは、前記検出手段により検出された温度に応じた前記発熱手段の制御は行わない
ことを特徴とする電源装置。
【請求項２】
前記電源入力手段からの電源を所定の電圧に変換して前記電子装置に供給する電源供給手段を更に備え、
前記制御手段は、
前記判別手段により前記電源入力手段に入力された電源が前記第１の定格の電源であると判別されたときは、前記検出手段により検出された温度に応じた前記電源供給手段及び前記発熱手段の制御を行い、
前記判別手段により前記電源入力手段に入力された電源が前記第１の定格の電源ではないと判別されたときは、前記電源供給手段をＯＮする一方、前記検出手段により検出された温度に応じた前記発熱手段の制御は行わない
ことを特徴とする請求項１に記載の電源装置。
【請求項３】
前記発熱手段は、第１のヒータ及び第２のヒータを含み、
前記制御手段は、前記検出手段により検出された温度に応じた前記電源供給手段及び前記発熱手段の制御として、
前記検出手段により検出された温度が第１のしきい値以下であるときは、前記電源供給手段をＯＦＦ、前記第１のヒータ及び前記第２のヒータをＯＮし、
前記検出手段により検出された温度が前記第１のしきい値より高く該第１のしきい値よりも高い第２のしきい値以下であるときは、前記電源供給手段をＯＮ、前記第１のヒータをＯＦＦ、前記第２のヒータをＯＮし、
前記検出手段により検出された温度が前記第２のしきい値より高いときは、前記電源供給手段をＯＮ、前記第１のヒータ及び前記第２のヒータをＯＦＦする
ことを特徴とする請求項２に記載の電源装置。
【請求項４】
ネットワークケーブルを介して電源を入力可能なＰｏＥ入力手段を更に備え、
前記制御手段は、前記電源入力手段に前記第１及び第２の定格の電源が入力されず、前記ＰｏＥ入力手段により電源が入力されたときは、前記判別手段による判別結果にかかわらず、前記検出手段により検出された温度に応じた前記発熱手段の制御は行わない
ことを特徴とする請求項１に記載の電源装置。
【請求項５】
電子装置へ電源を供給する電源装置であって、
第１の定格の電源及び該第１の定格の電源よりも電力が少ない第２の定格の電源を入力可能な電源入力手段と、
前記電源入力手段に入力された電源が前記第１の定格の電源か前記第２の定格の電源かを判別する判別手段と、
前記電源入力手段に少なくとも前記第２の定格の電源が入力されたときに前記電子装置における温度を上昇させることが可能な発熱手段と、
前記電子装置における温度を検出する検出手段と、
前記検出手段により検出された温度に応じて前記発熱手段を制御する制御手段と、
を備え、
前記制御手段は、前記判別手段により前記電源入力手段に入力された電源が前記第１の定格の電源であると判別された場合において、前記発熱手段を動作させるときは、該電源からの電力をパルス幅変調により低下させてから前記発熱手段に供給する
ことを特徴とする電源装置。
【請求項６】
前記発熱手段の動作状態を示す表示手段を更に有することを特徴とする請求項１又は５に記載の電源装置。
【請求項７】
ネットワークケーブルを介して電源を入力可能なＰｏＥ入力手段を更に備え、
前記制御手段は、前記電源入力手段に前記第１及び第２の定格の電源が入力されず、前記ＰｏＥ入力手段により電源が入力されたときは、前記判別手段による判別結果にかかわらず、前記検出手段により検出された温度に応じた前記発熱手段の制御は行わない
ことを特徴とする請求項５に記載の電源装置。
【請求項８】
前記電源入力手段からの電源又は前記ＰｏＥ入力手段からの電源を所定の電圧に変換して前記電子装置に供給する電源供給手段を更に備え、
前記制御手段は、前記電源入力手段に前記第１及び第２の定格の電源が入力されず、前記ＰｏＥ入力手段により電源が入力されたときは、前記電源供給手段をＯＮする一方、前記検出手段により検出された温度に応じた前記発熱手段の制御は行わない
ことを特徴とする請求項７に記載の電源装置。
【請求項９】
前記発熱手段は、第１のヒータ及び第２のヒータを含み、
前記制御手段は、前記検出手段により検出された温度に応じた前記電源供給手段及び前記発熱手段の制御として、
前記検出手段により検出された温度が第１のしきい値以下であるときは、前記電源供給手段をＯＦＦ、前記第１のヒータ及び前記第２のヒータをＯＮし、
前記検出手段により検出された温度が前記第１のしきい値より高く該第１のしきい値よりも高い第２のしきい値以下であるときは、前記電源供給手段をＯＮ、前記第１のヒータをＯＦＦ、前記第２のヒータをＯＮし、
前記検出手段により検出された温度が前記第２のしきい値より高いときは、前記電源供給手段をＯＮ、前記第１のヒータ及び前記第２のヒータをＯＦＦする
ことを特徴とする請求項８に記載の電源装置。
【請求項１０】
前記制御手段は、前記検出手段により検出された温度に応じた前記電源供給手段及び前記発熱手段の制御において、前記検出手段により検出された温度が前記第１のしきい値以下であるときは、前記第１のヒータ及び前記第２のヒータをＯＮするとともに、前記電子装置を初期化するためのリセット出力を行い、かつ、前記電源供給手段をＯＮし、その後、前記検出手段により検出された温度が前記第１のしきい値を超えたときに前記リセット出力を解除することを特徴とする請求項３又は９に記載の電源装置。
【請求項１１】
前記電子装置は、起動モードとして、起動コマンドを受信すると該電子装置が有する機能を発揮する状態で起動する通常モードと、ヒートコマンドを受信すると前記機能を発揮しない状態で昇温のためだけに起動するヒートアップモードとを有し、
前記制御手段は、前記検出手段により検出された温度に応じた前記電源供給手段及び前記発熱手段の制御において、前記検出手段により検出された温度が前記第１のしきい値以下であるときは、前記第１のヒータ及び前記第２のヒータをＯＮするとともに、前記電源供給手段をＯＮし、かつ、前記電子装置に前記ヒートコマンドを送信し、その後、前記検出手段により検出された温度が前記第１のしきい値を超えたときは、前記電子装置に前記起動コマンドを送信することを特徴とする請求項３又は９に記載の電源装置。
【請求項１２】
前記制御手段は、前記電子装置に前記ヒートコマンドを送信した後、前記検出手段により検出された温度が前記第１のしきい値を超えたときは、前記電子装置を初期化するためのリセット出力を行い、その後、前記電子装置に前記起動コマンドを送信することを特徴とする請求項１１に記載の電源装置。
【請求項１３】
前記制御手段は、前記電子装置に前記ヒートコマンドを送信した後、前記検出手段により検出された温度が前記第１のしきい値を超えたときは、前記電子装置を前記通常モードにて再起動させるべく、前記電源供給手段をいったんＯＦＦし再度ＯＮすることを特徴とする請求項１１に記載の電源装置。